(57)【要約】      （修正有）【課題】外部からの侵入を阻止するドア施錠装置を提供する。【解決手段】ドアの側に施錠アームと、ドア枠の側にアーム受部とからなり、施錠アーム６は固定部６ａと、アーム本体６ｂとを有しており、アーム本体は広巾の中空部６ｂ１と、狭巾の中空部６ｂ２で略つ字型の係合部６ｂ３を形成しており、一方アーム受部は固定部と、施錠部を備えており、施錠アームにはアーム本体の広幅の中空部にアーム受部の膨出部が挿通されている状態、いわゆるドアの施錠の状態において、アーム本体の解錠方向への回転を阻止するストッパー機構６ｃを形成した。【選択図】図２
0003105609.tif 000002
【実用新案登録請求の範囲】
【請求項１】
ドアの側にまたはドア枠の側にとりつけられる施錠アームと、ドア枠の側にまたはドアの側にとりつけられるアーム受部とからなり、該施錠アームは固定部と、該固定部に回転自在に軸支される所定長さのアーム本体とを有しており、かつ該アーム本体は固定部側に広巾の中空部を、該中空部に連通して長手方向に沿って狭巾の中空部を形成して略つ字型の係合部を形成しており、一方アーム受部は固定部と、該固定部から突出して、軸部および該軸部の先端の膨出部からなる施錠部を備えており、さらに上記施錠部の軸部および膨出部はアーム本体の広巾の中空部には挿通可能の形状であり、狭巾の中空部に対しては軸部は挿通できる形状であるが、膨出部はアーム本体の係合部に係止される形状に構成されているドアの施錠装置において、上記施錠アームにはアーム本体の広幅の中空部にアーム受部の膨出部が挿通されている状態、いわゆるドアの施錠の状態において、上記アーム本体の解錠方向への回転を阻止するストッパー機構を形成したことを特徴とするドアの施錠装置。
【請求項２】
ストッパー機構は、施錠アームの固定部側に形成される本体部とアーム本体側に形成される係合受部とからなることを特徴とする請求項１記載のドアの施錠装置。
【考案の詳細な説明】
【技術分野】
【０００１】本考案は通称用心鎖と言われる類のドアの施錠装置の改良に係り、悪質者の侵入を阻止することを特徴とするドアの施錠装置に関する。
【背景技術】
【０００２】従来ドアの施錠装置は図６で示すとおり、ドア１の内側にとりつけられる施錠アーム２と、ドア枠３にとりつけられるアーム受部４とからなり、施錠アームはドアの内側にとりつけられる固定部２ａと、該固定部に回転自在に軸支される所定長さのアーム本体２ｂとを有しており、かつ該アーム本体は固定部側に広巾の中空部２ｃを，該中空部に連通して長手方向に沿って狭巾の中空部２ｄを形成して略つ字型の係合部２ｅを形成しており、一方アーム受部はドア枠にとりつけられる固定部４ａと、該固定部から一体に突出して軸部４ｂおよび該軸部の先端の膨出部４ｃからなる施錠部４ｄとから構成されている。
上記はドアが外開きの場合であり、内開きの場合は逆の取り付けで、ドア側にアーム受部が、ドア枠側に施錠アームがとりつけられる。【０００３】しかして施錠に際しては、ドアを閉めた状態でアーム本体２ｂをアーム受部に接触する位置まで回転すると、その広巾の中空部２ｃにアーム受部の施錠部４ｄが挿通される。その状態で図示より明らかなようにドアを開けても、アーム本体は、係合部がアーム受部の膨出部に係合された状態で、狭巾の中空部に軸部が挿通された状態で外側に所定長さ（狭い巾の中空部の端部まで）移動し、係合部が軸部に係合して、それ以上開くことがなく、かつドアを少しでも開けた状態では係合部が膨出部に係合されているので、アーム本体が施錠部から外れることがなく施錠状態を保持する。【０００４】解錠に際しては上記と逆の動作でよく、ドアを閉めた状態にすれば施錠部が広巾の中空部に位置するのでアーム本体を回転すれば解錠される。
【考案の開示】
【考案が解決しようとする課題】
【０００５】上記従来の施錠装置は室内からの施錠、言わば在宅時での施錠であり、施錠の状態でドアを所定の間隙開口できるので通風、防犯、面会等において意義がある。
ところがこの施錠装置では次のような問題点があり、その改善が要望されていた。【０００６】近年犯罪の増加と共に悪質者のドアからの侵入が増えており、その手口は図７に示すごとく、梱包用のベルト５等、腰があって、しかも曲がる薄手のものをドアとドア枠の小隙間から矢印方向に差込んで、施錠状態にあるアーム本体を押して仮想線の位置まで回転させることにより、施錠部からアーム本体を外して解錠すると言うやり方である。【０００７】本考案は上記問題点を解決するために鋭意、工夫を重ねて、施錠状態にあるアーム本体が、仮にドアとドア枠の隙間から梱包用のベルト等腰のある薄手のものを差込んでアーム本体を押圧しても、その力ではアーム本体は回転せず、むしろ差込んだ薄手の物体が折れ曲がることによって施錠状態が保持できるドアの施錠装置を提供する。
【課題を解決するための手段】
【０００８】  その特徴の一つは「ドアの側にまたはドア枠の側にとりつけられる施錠アームと、ドア枠の側にまたはドアの側にとりつけられるアーム受部とからなり、該施錠アームは固定部と、該固定部に回転自在に軸支される所定長さのアーム本体とを有しており、かつ該アーム本体は固定部側に広巾の中空部を、該中空部に連通して長手方向に沿って狭巾の中空部を形成して略つ字型の係合部を形成しており、一方アーム受部は固定部と、該固定部から突出して、軸部および該軸部の先端の膨出部からなる施錠部を備えており、さらに上記施錠部の軸部および膨出部はアーム本体の広巾の中空部には挿通可能の形状であり、狭巾の中空部に対しては軸部は挿通できる形状であるが、膨出部はアーム本体の係合部に係止される形状に構成されているドアの施錠装置において、上記施錠アームにはアーム本体の広幅の中空部にアーム受部の膨出部が挿通されている状態、いわゆるドアの施錠の状態において、上記アーム本体の解錠方向への回転を阻止するストッパー機構を形成したことを特徴とするドアの施錠装置」である。【０００９】その特徴の二つは「上記ドアの施錠装置において、ストッパー機構は、施錠アームの固定部側に形成される本体部とアーム本体側に形成される係合受部とからなることを特徴とするドアの施錠装置」である。
【考案の効果】
【００１０】本考案ドアの施錠装置は、ドアが閉められて施錠されている状態つまりアーム本体の広幅の中空部にアーム受部の膨出部が挿通されている状態では、施錠アームにアーム本体の回転を阻止するストッパー機構が設けられているので、たとえば固定部側に設けられる本体部、つまりストッパー本体がアーム本体側の係合部に設けられる係合受部にがっちり係合される構造となるので、ドアとドア枠の隙間から梱包用のバンド等を挿入してアーム本体に解錠方向への押圧力を付与してもアーム本体は回転することなく、むしろ梱包用のベルトが折り曲げられて、つまり施錠状態を保持するので、悪質者の侵入を阻止できる。
【考案を実施するための最良の形態】
【００１１】本考案の実施例について以下に説明する。
図１、図２は本考案ドアの施錠装置における施錠アームの一実施例を示す。
図１は施錠アームをドアに取り付けた状態の略平面図を示し、アーム本体をドア側に回転している状態、つまり解錠の状態である。図２はアーム本体を約９０度回転してアーム受部（不図示）の施錠部の側に回転したいわゆる施錠の状態をしめす略斜視図である。６は施錠アームで、該アームは固定部６ａと、該固定部の上下一対の取付部６ａ１に回転自在にとりつけられるアーム本体６ｂと、該アーム本体が施錠の状態に回転している際に、該アーム本体が解錠の状態に回転（この実施例ではドア側に回転）するのを阻止するストッパー機構６ｃで構成されている。しかしてアーム本体６ｂは固定部側に広幅の中空部６ｂ１、該中空部に連通して狭巾の中空部６ｂ２、略つ字型の係合部６ｃ３を有している。【００１２】上記ストッパー機構６ｃは固定部にとりつけた軸ピン６ｃ１と、該軸ピンに回転自在に軸支されている本体部、つまりストッパー本体６ｃ２と、該ストッパー本体を常時アーム本体側に回転する方向に弾支するバネ体６ｃ３と、アーム本体の係合部に突出状態で形成している係合受部６ｃ４とから形成されている。
図１の鎖線で示す状態は図２の状態と同じである。つまりアーム本体を解錠の状態から施錠の状態に回転するとストッパー本体６ｃ２が常時アーム本体側に回転する方向にバネ体６ｃ３によって付勢されているので、同時に追従して回転し、その先端が係合受部６ｃ４に係合する。【００１３】次にこの状態でアーム本体６ｂを解錠の方向に回転しようとしても、ストッパー本体によって係合受部６ｃ４の回転移動が阻止されて回転できない。つまりストッパー本体の回転半径とアーム本体の係合受部の回転半径との差異によってストッパー本体の先端に係合受部６ｃ４が食い込む状態となり、係合がより強固になるように設計されている。
それゆえにこの構成では上記した従来の問題点となっていた梱包用のベルト等のものでアーム本体を解錠の方向に押圧してもアーム本体は全く回転することなく、むしろ上記ベルト等の物体が折り曲げられることとなる。よって施錠状態が保持される。【００１４】次に解錠する場合にはストッパー本体を把手してドア側に回転して、係合受部との係合を解消してからアーム本体を解錠方向に回転すればよい。尚バネ体６ｃ３の付勢力は、アーム本体が施錠の状態でストッパー本体が係合受部に係合する程度のバネ力でよく、したがってアーム本体の解錠の状態では図１に示すようになり、アーム本体を施錠方向に回転させる付勢力はない。【００１５】図３から図５はストッパー機構の別の実施例を示す。図３はストッパー機構を構成する部材の斜視図で、７はストッパー本体、８は駆動バネである。ストッパー本体７は基部７ｂの上端に本体部、つまり係合本体部７ａを水平方向に突設し、基部７ｂの一側にＬ型の把手部７ｃを形成している。７ｄは基部７ｂの下端に形成した溝部で、駆動バネ８によって支受されている。【００１６】図４は図３に示したストッパー機構の部材を施錠アームの固定部にとりつけた裏面側の状態を示す略斜視図である。９は固定部で、９ａ開口、９ｂは駆動バネの取付部、９ｃはストッパー本体７のカバー１０の取付部である。カバー１０は取付孔１０ａを取付部９ｃに、取付孔１０ｂを取付部９ｂに嵌入してとりつけられ、ストッパー本体７、駆動バネ８を被覆し、ガイドしている。図示より理解できるようにストッパー本体７の下端は駆動バネ８で支受されている。また係合本体部７ａの先端は開口から表側に突出している。把手部７ｃを持って矢印方向に下げるとストッパー本体７は駆動バネ８に抗して下方に移動し、把手部を離すとバネ力で元の位置に押上げられる。【００１７】図５は施錠アームの略斜視図を示す。この状態はアーム本体を施錠方向に回転した状態を示す。アーム本体１１の係合受部１１ａにはストッパー本体７の係合本体部７ａが係合している。したがってアーム本体を解錠の方向に回転しようとしても回転が阻止される。つまり施錠状態を保持する。
解錠する場合にはストッパー本体７の把手部７ｃをもって押下げれば、係合本体部７ａも下がり、係合受部１１ａとの係合が解かれるので、その状態でアーム本体を解錠方向に回転すればよい。アーム本体が解錠されてドア側に位置している状態では係合本体部７ａは係合受部１１ａの下側に位置する。【００１８】本考案は上記実施例に限定されるものではなく、本考案の技術思想を逸脱しない範囲の設計変更は可能である。
【図面の簡単な説明】
【００１９】
【図１】本考案の施錠アームをドアに取り付けた状態の一実施例を示す略平面図。
【図２】図１に示す施錠アームのアーム本体を施錠方向に開いた状態の略斜視図。
【図３】本考案のストッパー機構を構成する部材の斜視図。
【図４】図３の部材を固定部に取付けた状態の略斜視図及び上記部材を覆うカバーの略斜視図。
【図５】図３、図４に示す部材を用いた本考案施錠アームの略斜視図。
【図６】従来ドアの施錠装置の取付け状態を示す略斜視図。
【図７】同じくドアを閉めた状態において、施錠状態のアーム本体を外部から挿入された梱包用ベルトによって押動されて、解錠する状態を示す略平面図である。
【符号の説明】
【００２０】６      施錠アーム
６ａ    固定部
６ａ１  取付部
６ｂ    アーム本体
６ｂ１  広幅の中空部
６ｂ２  狭巾の中空部
６ｂ３  係合部
６ｃ    ストッパー機構
６ｃ１  軸ピン
６ｃ２  ストッパー本体
６ｃ３  バネ体
６ｃ４  係合受部
７      ストッパー本体
７ａ    係合本体部
７ｂ    基部
７ｃ    把手部
７ｄ    溝部
８      駆動バネ
９      固定部
９ａ    開口
１０    カバー
１１    アーム本体
１１ａ  係合受部
【図１】
0003105609.tif 000003
【図２】
0003105609.tif 000004
【図３】
0003105609.tif 000005
【図４】
0003105609.tif 000006
【図５】
0003105609.tif 000007
【図６】
0003105609.tif 000008
【図７】
0003105609.tif 000009